(57)【特許請求の範囲】
【請求項１】
対設する両支柱間にネットロープを介しネットを張設するネット張設装置であって、支柱の上下適宜位置に止着した支柱止着環に一体的に形成したベルト保持具と、両側壁間に可回転する上下ローラーを横架支承し軸支したベルト捲回具とから成り、上部ベルトは自由端をネットロープを係止するネットロープ係止具と締結し、他端は前記捲回具の上部ローラーを介し端部をベルト保持具に止着すると共に、下部ベルトは自由端をベルト保持具にリベット止めし、自由端は前記捲回具の下部ローラーを介し支柱寄りに垂下し下部ベルト保持具先端部の偏芯カムの作動により前記捲回具を介し緊定又は弛緩するようにした競技用ネット張設装置。
【請求項２】
対設する両支柱間にネットロ−プを介しネットを張設するネット張設装置であって、ベルト保持具と一体的に成形した支柱止着環を支柱下部近傍位置に止着しベルトの一端をネットロ−プと係止するネットロ−プ係止具のロ−ラ−に捲回すると共に、他端前側ベルトを前記ベルト保持具のピンに止着し後側ベルトを偏心と前記ベルト保持具の底壁間で挟持するよう形成したことを特徴とする競技用ネット張設装置。
【発明の詳細な説明】
【０００１】
【発明の属する技術分野】
本発明は、競技用ネット張設装置に係り、特に支柱へ取付けた１個又は２個のベルト保持具に設けた偏心カム及びローラーを介しベルトを張設操作することによりネットを張設堅持する競技用ネット張設装置に関する。
【０００２】
【従来の技術】
従来の競技用ネット張設装置に於いては、一般的にフック及び締結ネジから成るネット張設具を支柱に遊嵌したものが知られている（例えば図５参照）。
【０００３】
【発明が解決しようとする課題】
従来の競技用ネット張設装置にあっては、ネットロープ止着用フック及び締結ネジから成るネット張設具を支柱に上下動自在に遊嵌し前記フックにネットロープを係止し前記張設具を手で把持し乍押し下げ張設限に来た際もう一方の手で締結ネジを操作し支柱に止着する構成である。
然して、前記フックにネットロープを係止後、ネット張設具を片手で把持して押し下げる一方、もう一方の手で締結ネジを締結操作するため、張設操作が不安定となり操作が困難であると共に、前記張設具を把持した手が張設具と支柱間に挟まれ怪我をする危険性を有する他、張設具が上下に遊動するため張設に弛緩を生じたり更に、支柱と前記張設具間で上下遊動による摩擦を生じ塗料が剥離され美観を損なう等多々問題点を有していた。
【０００４】
本発明は、従来技術の有する上述問題点に鑑みて為されたものであり、対設する両支柱間に競技用ネットを張設懸架する際、支柱とネット張設具の隙間に手を挾む危険性もなく簡単且容易に操作出来ると共に、支柱の塗装剥離を防上しネット張設操作が容易に行なえる競技用ネット張設装置の提供を目的としている。
【０００５】
【課題を解決するための手段】
上記目的を達成するために、本発明の競技用ネット張設装置に於いては、両側部を有するベルト保持具と一体的に成形した支柱止着環を支柱上下適宜間隔位置に止着すると共に、第１ベルトの一端はネットロープと係止するネットロープ係止具に締結し他端をベルト捲回具の上部ローラーを介し前記ベルト保持具に横架支承したピンに止着する一方、第２ベルトの一端は前記ベルト捲回具の下部ローラーに捲回し他端前側ベルトをベルト保持具のピンに止着し後側ベルトを偏心カムと前記ベルト保持具底壁間で挟持するよう形成したものである。
【０００６】
上記目的を達成するために本発明に於いては、両側部を有するベルト保持具と一体的に成形した支柱止着環を支柱下部近傍位置に止着しベルトの一端をネットロープと係止するネットロープ係止具のローラーに捲回すると共に、他端前側ベルトを前記ベルト保持具のピンに止着し後側ベルトを偏心カムと前記ベルト保持具の底壁聞で挟持するよう形成したものである。
【０００７】
【発明の実施の形態】
【実施例１】
発明の実施の形態を実施例に基づき図面を参照して説明する。
図１及び図３（ａ、ｂ）に図示の実施例に於いて、対設した支柱９に適宜間隔位置を設け支柱止着環２、２ａを上下にネジ止着１０し前記止着環２、２ａに両側部を有しピン８を横架軸着したベルト係止具１を一体的又は底壁を固着して成り、一端をネットロープ係止具５とリベット１１止着し他端はベルト捲回具３の上部ローラー６を捲回し前記軸着ピン８に止着した第１ベルト７と、ネットロープ１２と前記ネットロープ係止具５を締結すると共に、一端は前記ベルト捲回具３の下部ローラー６を捲回し他端前側はベルト保持具１ａの軸着ピン８に止着し他端後側は前記保持具１ａ底壁と、この保持具１ａに枢着ピン８ａで枢着された偏心カム４の回動により挟持する第２ベルト７ａから成る構成である。
【０００８】
而して、本発明に於いては、上下部に支柱止着環２、２ａが支柱９に夫々固定されて成り、各止着環２、２ａには夫々ベルト保持具１、１ａが一体的に形成され、その夫々に軸着ピン８及び枢着ピン８ａが支承されている。又、ベルト保持具１に近接して上下部ロ−ラ−６、６を枢着したベルト捲回具３を設けて成り第１ベルト７に負荷された引張力を第２ベルト７ａとの作動により１／２で済むよう設けてある。第１ベルト７の自由端はネットロ−プ係止具５と締結し、他端は前記ベルト捲回具３を介しベルト保持具１に固着される。而して第２ベルト７ａは一端をベルト保持具１ａの軸着ピン８に止着すると共に前記ベルト捲回具３の下部ロ−ラ−６を経由し偏心カム４を介し下方に延設する。ネット１３を張設する際は従来は一方の手でネット張設具１４を把持し押し下げ、もう一方の手でネジ１５を締結していたが、本発明によれば第２ベルト７ａの下方張設部を引張ると同時にネット１３の緊張に応じて偏心カム４が回動し第２ベルト７ａ挟持すれば良く、この際引張力は１／２で済むものである。
【０００９】
【実施例２】
図２乃及び４（ａ、ｂ）に図示した如く、支柱９に支柱止着環２をネジ止着１０するのであるが前記止着環２の支柱９の止着位置はネット１３の下端位置が好ましい。支柱止着環２に両側部を有しピン８を横架軸着したベルト保持具１を一体的又は底壁を固着して成りベルト７ａ一端をネットロープ係止具５の枢着ピン８ａに枢着したローラー６を捲回し、前記ネットロープ係止具５とネットロープ１２を締結すると共に、ベルト７の他端前側は前記ベルト保持具１の軸着ピン８に止着され、他端後側はベルト保持具１底壁と枢着ピン８ａに枢着された偏心カム４ａに挿通されて成る。本実施例に於いては第１実施例の如く第１ベルト７及び第２ベルト７ａ間のベルト捲回具３を要せず偏心カム４ａもベルト７の延設部分を下方に引張するのみで自動的に回動しベルト７を挟持止着する構成である。
【００１０】
図５は従来技術を図示したものであり、ネット張設具１４は支柱９’に複数個任意に遊嵌しネット１３’張設の際は、前記張設具１４に突設したフック１６にネットロープ１２’を係着し一方の手で前記張設具１４を直接把持し下方へ引張することでフック１６を介しネットロープ１２’即ち、ネット１３’を張設すると同時に片方の手で締結ネジ１５を支柱９’に締結する構成である。
尚、本発明に於いては競技用ネット張設装置としたが、バドミントンは勿論のこと、ソフトバレーボール及びインディアカ等にも使用出来るものである。
【００１１】
【発明の効果】
本発明は、以上説明したように構成されているので、以下に記載した効果を奏する。
【００１２】
ネットの張脱設時、カム作動によりベルトを挟持止着するのみで良く、ネット張設具と支柱間で手を挟まれる危険性もなく、又、支柱の塗装剥離も防止し得永く美観を保持することが出来る。
【００１３】
ネット張脱設時、手動作に殆ど労力を要せず安定的に操作性容易で安全確実に使用出来る。
【００１２】
【図面の簡単な説明】
【図１】本発明の第１実施例を示す要部拡大説明斜視図である。
【図２】他の実施例を示す要部拡大説明斜視図である。
【図３】第１実施例の作動状態を説明する要部拡大一部断面側面図である。
【図４】他の実施例の作動状態を説明する要部拡大一部断面側面図である。
【図５】従来例を示す要部拡大説明斜視図である。
【符号の説明】
１、１ａ      ベルト保持具
２、２ａ      支柱止着環
３            ベルト捲回具
４、４ａ      偏心カム
５            ネットロープ係止具
６            ローラー
７、７ａ      ベルト
８、８ａ      軸着ピン、枢着ピン
９、９’      支柱
１０          ネジ止着
１１          リベット
１２、１２’  ネットロープ
１３、１３’  ネット
１４          ネット張設具
１５          締結ネジ
１６          フック
【図１】
0004022651.tif 000002
【図２】
0004022651.tif 000003
【図３】
0004022651.tif 000004
【図４】
0004022651.tif 000005
【図５】
0004022651.tif 000006